(57)【要約】【課題】ソース切り替え時の音声出力レベル差を少なくすることができるＡＶ機器を提供する。【解決手段】供給されたアナログ音声信号を外部へ出力する音声出力端子ＯＵＴ２と、  ソースから音声出力端子ＯＵＴ２に至るまでの音声信号ラインに設けられる電圧制御増幅器ＶＣＡ１及びＶＣＡ２と、音声出力端子ＯＵＴ２に供給されるアナログ音声信号のレベルに応じて電圧制御増幅器ＶＣＡ１及びＶＣＡ２の少なくとも一方のゲインを制御するシステム・コントローラＩＣ６とを備えるＡＶ機器。【選択図】図１
2007208668.tif 000002
【特許請求の範囲】
【請求項１】
供給されたアナログ音声信号を外部へ出力する音声出力端子と、
ソースから前記音声出力端子に至るまでの音声信号ラインに設けられる可変利得回路と、
前記音声出力端子に供給されるアナログ音声信号のレベルに応じて前記可変利得回路の利得を制御する制御回路とを備え、
前記制御回路が、ＲＣ回路を有し、前記音声出力端子と前記制御回路とを結ぶ検出信号ラインを経由して前記制御回路に入力されるアナログ音声信号を前記ＲＣ回路で蓄放電及び平滑化させ、前記制御回路に入力されるアナログ音声信号の実効値を読むことによって、前記音声出力端子に供給されるアナログ音声信号のレベルを検出することを特徴とするＡＶ機器。
【請求項２】
供給されたアナログ音声信号を外部へ出力する音声出力端子と、
ソースから前記音声出力端子に至るまでの音声信号ラインに設けられる可変利得回路と、
前記音声出力端子に供給されるアナログ音声信号のピーク値に応じて前記可変利得回路の利得を制御する制御回路とを備え、
前記制御回路は、前記可変利得回路の利得を変化させる場合、前記音声出力端子の出力にブリージングが発生しないように前記可変利得回路の利得を徐々に変化させることを特徴とするＡＶ機器。
【請求項３】
供給されたアナログ音声信号を外部へ出力する音声出力端子と、
ソースから前記音声出力端子に至るまでの音声信号ラインに設けられる可変利得回路と、
前記音声出力端子に供給されるアナログ音声信号のレベルに応じて前記可変利得回路の利得を制御する制御回路とを備えることを特徴とするＡＶ機器。
【請求項４】
供給されたアナログ音声信号を外部へ出力する音声出力端子と、
ソースから前記音声出力端子に至るまでの音声信号ラインに設けられる可変利得回路と、
前記音声出力端子に供給されるアナログ音声信号のピーク値に応じて前記可変利得回路の利得を制御する制御回路とを備えることを特徴とするＡＶ機器。
【発明の詳細な説明】
【技術分野】
【０００１】
本発明は、ソースの切り替えが可能であり、外部機器（例えばスピーカ装置）にアナログ音声信号を出力するＡＶ機器に関する。
【背景技術】
【０００２】
従来のＡＶ機器として、ここではビデオ装置とＤＶＤ装置を備えさらにＴＶチューナを内蔵する複合ＡＶ機器を例に挙げて説明する。従来の複合ＡＶ機器の音声系の概略構成例を図４に示す。
【０００３】
図４に示す複合ＡＶ機器は、ＴＶチューナ２と、ＴＶ音声ＩＣ３と、ＤＶＤ音声ＩＣ４と、スイッチＳＷ２及びＳＷ３を内蔵するＶＣＲ音声ＩＣ５と、増幅器Ａ１及びＡ２と、スイッチＳＷ１及びＳＷ４と、外部音声入力端子ＩＮ１と、音声出力端子ＯＵＴ１及びＯＵＴ２とを備えている。
【０００４】
ＴＶチューナ２は、ＴＶアンテナ１からのＲＦ信号を入力して選局動作を行い、選局したチャンネルの音声ＩＦ信号をＴＶ音声ＩＣ３に出力する。ＴＶ音声ＩＣ３は、ＴＶチューナ２からの音声ＩＦ信号に基づいてアナログ音声信号を生成して出力する。
【０００５】
外部音声入力端子ＩＮ１は、外部ソース機器（不図示）からのアナログ音声信号を入力する。
【０００６】
スイッチＳＷ１の接点ａはＴＶ音声ＩＣの出力側に接続され、スイッチＳＷ１の接点ｂは外部音声入力端子ＩＮ１に接続され、スイッチＳＷ１の極ｃはＶＣＲ音声ＩＣ５内のスイッチＳＷ２の接点ａに接続されるとともに増幅器Ａ１を経由してＤＶＤ音声ＩＣ４の入力側にも接続される。
【０００７】
ＤＶＤ音声ＩＣ４は、増幅器Ａ１の出力信号に基づいてＤＶＤ記録用音声データを生成する信号処理やＤＶＤの再生データに基づいてアナログ音声信号を生成して出力する信号処理を行う。
【０００８】
ＤＶＤ音声ＩＣ４の出力側は、増幅器Ａ２を経由して、音声出力端子ＯＵＴ１と、ＶＣＲ音声ＩＣ５内のスイッチＳＷ２の接点ｂと、スイッチＳＷ４の接点ｂとに接続される。
【０００９】
ＶＣＲ音声ＩＣ５内のスイッチＳＷ２の極ｃは、ＶＣＲ音声記録信号出力ラインと、ＶＣＲ音声ＩＣ５内のスイッチＳＷ３の接点ｂとに接続される。ＶＣＲ音声ＩＣ５内のスイッチＳＷ３の接点ａはＶＣＲ音声再生信号入力ラインに接続される。スイッチＳＷ４の接点ａはＶＣＲ音声ＩＣ５内のスイッチＳＷ３の極ｃに接続される。そして、スイッチＳＷ４の極ｃは音声出力端子ＯＵＴ２に接続される。
【００１０】
スイッチＳＷ１は、ＤＶＤ音声ＩＣ４及びＶＣＲ音声ＩＣ５に供給する信号の切り替えを行う。スイッチＳＷ４は、音声出力端子ＯＵＴ２に供給する信号の切り替えを行う。スイッチＳＷ３は、ＶＣＲ音声ＩＣ５から出力される信号の切り替えを行う。スイッチＳＷ２は、ＶＣＲ音声記録信号となる信号の切り替えを行う。尚、スイッチＳＷ１〜ＳＷ４の切り替え動作は、システム・コントローラＩＣ（不図示）によって制御される。
【００１１】
ここで、ドルビー等の認定条件からＤＶＤやＣＤの音声出力レベルは固定レベルしか許されていない場合が多い。このようにＤＶＤの音声出力レベルが固定レベルしか許されていない場合、音声出力端子ＯＵＴ１の出力レベルは固定レベルである。
【特許文献１】特開２００３−１６９２７０号公報
【発明の開示】
【発明が解決しようとする課題】
【００１２】
これに対して、音声出力端子ＯＵＴ２の出力レベルはソースによってまちまちである。すなわち、ソースがＴＶ音声である場合（スイッチＳＷ１が接点ａを選択し、スイッチＳＷ２が接点ａを選択し、スイッチＳＷ３が接点ｂを選択し、スイッチＳＷ４が接点ａを選択する場合）と、ソースが外部ソース機器音声である場合（スイッチＳＷ１が接点ｂを選択し、スイッチＳＷ２が接点ａを選択し、スイッチＳＷ３が接点ｂを選択し、スイッチＳＷ４が接点ａを選択する場合）と、ソースがビデオテープ音声である場合（スイッチＳＷ３が接点ａを選択し、スイッチＳＷ４が接点ａを選択する場合）と、ソースがＤＶＤ音声である場合（スイッチＳＷ４が接点ｂを選択する場合）とで音声出力端子ＯＵＴ２の出力レベルが異なっていた。
【００１３】
このため、図４に示す複合ＡＶ機器のソースを切り替えると、音声出力端子ＯＵＴ２に接続される外部機器から突然大音量の音声が発せられ、ユーザが驚くおそれがある。また、図４に示す複合ＡＶ機器のソース切り替えに伴う音量の変化が軽度である場合でも快適なＡＶ鑑賞が妨げられるという問題があった。さらに、ソースの切り替えが無い場合でも、１つのソース例えばＴＶ受信では特定のチャンネルでもコマーシャル時や映画放映、音楽番組等各種番組によって音声出力端子ＯＵＴ２の出力レベルに差があり、快適なＡＶ鑑賞が妨げられるという問題があった。
【００１４】
尚、特許文献１では、ソースを切り替えた時に平均音量が変化しないようにする映像機器が開示されているが、当該映像機器はＡウエイティングに代表される聴覚特性のフィルタと、或る決められた時間で音声信号の振幅平均を測定する平均音量測定回路とを必要とし、平均音量を求めるためにデジタル処理（積算処理）を行うため、回路構成や平均音量を求めるための処理が複雑になるという問題を有している。
【００１５】
本発明は、上記の問題点に鑑み、ソース切り替え時の音声出力レベル差を少なくすることができるＡＶ機器を提供することを目的とする。
【課題を解決するための手段】
【００１６】
上記目的を達成するために本発明に係るＡＶ機器は、供給されたアナログ音声信号を外部へ出力する音声出力端子と、ソースから前記音声出力端子に至るまでの音声信号ラインに設けられる可変利得回路（例えば、電圧制御増幅器、可変減衰器など）と、前記音声出力端子に供給されるアナログ音声信号のレベルに応じて前記可変利得回路の利得を制御する制御回路とを備える構成とする。
【００１７】
このような構成によると、前記音声出力端子からの音量出力レベルの変動を少なくすることできる。したがって、ソース切り替え時の音声出力レベル差を少なくすることができる。また、選択した１つのソースにおいてプログラム（例えばＴＶ受信におけるコマーシャルや映画放映、音楽番組等各種番組）やソース内容（例えば、外部音声入力端子ＩＮ１に接続される外部ソース機器の種類）が変更された場合でも、変更時の音声出力レベル差を少なくすることができる。
【００１８】
さらに、前記制御回路が、ＲＣ回路を有し、前記音声出力端子と前記制御回路とを結ぶ検出信号ラインを経由して前記制御回路に入力されるアナログ音声信号を前記ＲＣ回路で蓄放電及び平滑化させ、前記制御回路に入力されるアナログ音声信号の実効値を読むことによって、前記音声出力端子に供給されるアナログ音声信号のレベルを検出するようにしてもよい。これにより、前記音声出力端子に供給されるアナログ音声信号のレベルを検出するための回路や処理を簡素化できる。
【００１９】
また、上記目的を達成するために本発明に係るＡＶ機器は、供給されたアナログ音声信号を外部へ出力する音声出力端子と、ソースから前記音声出力端子に至るまでの音声信号ラインに設けられる可変利得回路（例えば、電圧制御増幅器、可変減衰器など）と、前記音声出力端子に供給されるアナログ音声信号のピーク値に応じて前記可変利得回路の利得を制御する制御回路とを備える構成とする。
【００２０】
このような構成によると、前記音声出力端子からの音量出力レベルの変動を少なくすることできる。したがって、ソース切り替え時の音声出力レベル差を少なくすることができる。また、選択した１つのソースにおいてプログラム（例えばＴＶ受信におけるコマーシャルや映画放映、音楽番組等各種番組）やソース内容（例えば、外部音声入力端子ＩＮ１に接続される外部ソース機器の種類）が変更された場合でも、変更時の音声出力レベル差を少なくすることができる。
【００２１】
さらに、前記制御回路は、前記可変利得回路の利得を変化させる場合、前記音声出力端子の出力にブリージングが発生しないように前記可変利得回路の利得を徐々に変化させるようにしてもよい。これにより、ブリージングの発生を防止することができる。
【発明の効果】
【００２２】
本発明に係るＡＶ機器によると、ソース切り替え時の音声出力レベル差を少なくすることができる。
【発明を実施するための最良の形態】
【００２３】
本発明の実施形態について図面を参照して以下に説明する。本発明に係るＡＶ機器として、ここではビデオ装置とＤＶＤ装置を備えさらにＴＶチューナを内蔵する複合ＡＶ機器を例に挙げて説明する。本発明に係る複合ＡＶ機器の音声系の概略構成例を図１に示す。尚、図１において図４と同一の部分には同一の符号を付し詳細な説明を省略する。
【００２４】
図１に示す複合ＡＶ機器では、電圧制御増幅器ＶＣＡ１がスイッチＳＷ１の極ｃとスイッチＳＷ２の接点ａとの間に設けられ、電圧制御増幅器ＶＣＡ２がスイッチＳＷ４の極ｃと音声出力端子ＯＵＴ２との間に設けられ、システム・コントローラＩＣ６が音声出力端子ＯＵＴ２に供給されるアナログ音声信号のレベル又はピーク値に応じて電圧制御増幅器ＶＣＡ１及びＶＣＡ２の少なくとも一方のゲインを制御する。したがって、電圧制御増幅器ＶＣＡ１及びＶＣＡ２の一方を省略することができる。ただし、ＤＶＤ音声ＩＣ４の音声出力レベルが固定レベルでない場合やＤＶＤ音声ＩＣ４の代わりに音声出力レベルが可変する回路ブロックが設けられた場合は、電圧制御増幅器ＶＣＡ２を省略するのであれば、ＤＶＤ音声ＩＣ４或いはＤＶＤ音声ＩＣ４の代替回路ブロックの後段に新たに電圧制御増幅器を設け、システム・コントローラＩＣ６が音声出力端子ＯＵＴ２に供給されるアナログ音声信号のレベル又はピーク値に応じて電圧制御増幅器ＶＣＡ１と新たに設けた電圧制御増幅器のゲインを制御する必要がある。また、電圧制御増幅器の代わりに可変減衰器を設けてもよい。
【００２５】
以下、システム・コントローラＩＣ６の第１制御動作例と第２制御動作例を順次説明する。
【００２６】
システム・コントローラＩＣ６の第１制御動作例は、システム・コントローラＩＣ６が音声出力端子ＯＵＴ２に供給されるアナログ音声信号のレベルに応じて電圧制御増幅器ＶＣＡ１及びＶＣＡ２の少なくとも一方のゲインを制御する場合の制御動作である。システム・コントローラＩＣ６の第１制御動作例について図２に示すフローチャートを参照して説明する。
【００２７】
まず、システム・コントローラＩＣ６は、音声出力端子ＯＵＴ２に供給されているアナログ音声信号のレベルを所定の期間（例えば、数分）モニタし、所定の期間における加重平均値を求めてその加重平均値をモニタ値とする（ステップＳ１０）。例えば、システム・コントローラＩＣ６が簡易的なＲＣ回路を内蔵し、音声出力端子ＯＵＴ２に接続されているアナログ・ポートに入力されたアナログ音声信号を当該ＲＣ回路で蓄放電及び平滑化させ、そのアナログ音声信号の実効値を読むことによって、音声出力端子ＯＵＴ２に供給されているアナログ音声信号のレベルをモニタするとよい。
【００２８】
続くステップＳ２０では、ステップＳ１０におけるモニタ中にモード変更が有ったかを判定する。ここで、モード変更とは、音声出力端子ＯＵＴ２に供給されているアナログ音声信号に関して、有音と無音との切り替わり、モノラル音声信号とステレオ信号との切り替わり、２つの音声信号とステレオ信号との切り替わり、音声多重の有無の切り替わり等があったことをいう。
【００２９】
モニタ中にモード変更が無ければ（ステップＳ２０のＮＯ）、モニタ値が第１判定レベルを超えているか否かを判定する。ここでは、一例として、基準出力レベルを５００ｍＶｒｍｓとし、第１判定レベルを基準出力レベルの±６ｄＢ以内（２５０ｍＶｒｍｓ以上１Ｖｒｍｓ以下）としている。
【００３０】
モニタ値が第１判定レベルを超えていれば（ステップＳ３０のＹＥＳ）、第１補正レベル（ここでは一例として±３ｄＢにしている）での第１補正処理を行う（ステップＳ４０）。すなわち、モニタ値が２５０ｍＶｒｍｓより小さい場合、モニタ値が３ｄＢレベルアップするように電圧制御増幅器ＶＣＡ１及びＶＣＡ２の少なくとも一方のゲインを制御し、モニタ値が１Ｖｒｍｓより大きい場合、モニタ値が３ｄＢレベルダウンするように電圧制御増幅器ＶＣＡ１及びＶＣＡ２の少なくとも一方のゲインを制御する。第１補正処理を行った後は、ステップＳ１０に移行して、次のモニタを開始する。これに対して、モニタ値が第１判定レベルを超えていなければ（ステップＳ３０のＮＯ）、第１補正処理を行わずにステップＳ１０に移行して、次のモニタを開始する。
【００３１】
モニタ中にモード変更が有れば（ステップＳ２０のＹＥＳ）、現時点において無音状態であるかを判定する（ステップＳ５０）。
【００３２】
現時点において無音状態であれば（ステップＳ５０のＹＥＳ）、複合ＡＶ機器の映像系（図１において不図示）から外部出力される映像信号が有るかを判定する（ステップＳ６０）。映像信号が有れば（ステップＳ６０のＹＥＳ）、モニタ値が第２判定レベルを超えているか否かを判定する（ステップＳ７０）。ここでは、一例として、第２判定レベルを基準出力レベル（５００ｍＶｒｍｓ）の±１２ｄＢ以内（１２５ｍＶｒｍｓ以上２Ｖｒｍｓ以下）としている。モニタ値が第２判定レベルを超えていれば（ステップＳ７０のＹＥＳ）、第２補正レベル（ここでは一例として±６ｄＢにしている）での第２補正処理を行う（ステップＳ８０）。すなわち、モニタ値が１２５ｍＶｒｍｓより小さい場合、モニタ値が６ｄＢレベルアップするように電圧制御増幅器ＶＣＡ１及びＶＣＡ２の少なくとも一方のゲインを制御し、モニタ値が２Ｖｒｍｓより大きい場合、モニタ値が６ｄＢレベルダウンするように電圧制御増幅器ＶＣＡ１及びＶＣＡ２の少なくとも一方のゲインを制御する。第２補正処理を行った後は、ステップＳ１０に移行して、次のモニタを開始する。これに対して、モニタ値が第２判定レベルを超えていなければ（ステップＳ７０のＮＯ）、第２補正処理を行わずにステップＳ１０に移行して、次のモニタを開始する。
【００３３】
一方、現時点において無音状態でなければ（ステップＳ５０のＮＯ）、現時点においてステレオモードであるか、すなわち音声出力端子ＯＵＴ２に供給されているアナログ音声信号がステレオ信号であるかを判定する（ステップＳ９０）。現時点においてステレオモードであれば（ステップＳ９０のＹＥＳ）、セットアップの設定でコマーシャル対策がＯＮ設定になっているかを判定する（ステップＳ１００）。コマーシャル対策がＯＮ設定になっていれば（ステップＳ１００のＹＥＳ）、ステップＳ７０に移行し、コマーシャル対策がＯＮ設定になっていなければ（ステップＳ１００のＮＯ）、ステップＳ１０に移行して、次のモニタを開始する。また、現時点においてステレオモードでなければ（ステップＳ９０のＮＯ）、ステップＳ１０に移行して、次のモニタを開始する。
【００３４】
モード変更によってステレオ信号になっている場合は、コマーシャルの音声を出力している可能性が高い。このコマーシャル時に第２判定レベルによる判定及び第２補正処理を行わないようにした場合、短時間の音量レベル変化でさえも嫌がるユーザを満足させることができない。このため、セットアップでコマーシャル対策のＯＮ／ＯＦＦを設定できる態様とすることが望ましい。
【００３５】
上述したシステム・コントローラＩＣ６の第１制御動作例を実行することにより、図１に示す複合ＡＶ機器は、音声出力端子ＯＵＴ２からの音量出力レベルの変動を少なくすることできる。したがって、ソース切り替え時の音声出力レベル差を少なくすることができる。また、選択した１つのソースにおいてプログラム（例えばＴＶ受信におけるコマーシャルや映画放映、音楽番組等各種番組）やソース内容（例えば、外部音声入力端子ＩＮ１に接続される外部ソース機器の種類）が変更された場合でも、変更時の音声出力レベル差を少なくすることができる。
【００３６】
システム・コントローラＩＣ６の第２制御動作例は、システム・コントローラＩＣ６が音声出力端子ＯＵＴ２に供給されるアナログ音声信号のピーク値に応じて電圧制御増幅器ＶＣＡ１及びＶＣＡ２の少なくとも一方のゲインを制御する場合の制御動作である。システム・コントローラＩＣ６の第２制御動作例について図３に示すフローチャートを参照して説明する。
【００３７】
まず、システム・コントローラＩＣ６は、音声出力端子ＯＵＴ２に供給されているアナログ音声信号のピーク値をモニタし、そのピーク値をモニタ値とする（ステップＳ１１０）。
【００３８】
続くステップＳ１２０では、モニタ値が第１判定レベルを超えているかを判定する。ここでは、一例として、モニタ値が７００ｍＶｐｐから６ｄＢ以上高い場合或いはモニタ値が７００ｍＶｐｐから６ｄＢ以上低い場合に、モニタ値が第１判定レベルを超えているものとする。
【００３９】
モニタ値が第１判定レベルを超えていれば（ステップＳ１２０のＹＥＳ）、第１補正レベル（ここでは一例として±３ｄＢにしている）での第１補正処理を行う（ステップＳ１３０）。すなわち、モニタ値が７００ｍＶｐｐから６ｄＢ以上高い場合、モニタ値が３ｄＢレベルダウンするように電圧制御増幅器ＶＣＡ１及びＶＣＡ２の少なくとも一方のゲインを制御し、モニタ値が７００ｍＶｐｐから６ｄＢ以上低い場合、モニタ値が３ｄＢレベルアップするように電圧制御増幅器ＶＣＡ１及びＶＣＡ２の少なくとも一方のゲインを制御する。第１補正処理を行った後は、ステップＳ１１０に移行して、モニタを続行する。これに対して、モニタ値が第１判定レベルを超えていなければ（ステップＳ１２０のＮＯ）、第１補正処理を行わずにステップＳ１１０に移行して、モニタを続行する。
【００４０】
このような動作により、音声出力端子ＯＵＴ２に供給されているアナログ音声信号のピーク値が常時モニタされる。なお、第１補正処理によって音声出力端子ＯＵＴ２に供給されているアナログ音声信号のピーク値を急激に変化させると、ノイズリダクションの様にブリージングが発生してしまう。このため、第１補正処理では、音声出力端子ＯＵＴ２に供給されているアナログ音声信号のピーク値を徐々に変化させ、最終的にモニタ値が３ｄＢレベルアップ又は３ｄＢレベルダウンする態様が望ましい。かかる態様を採用した場合、第１補正処理の完了を待たずにステップＳ１３０からステップＳ１１０への移行が行われ、第１補正処理中にモニタ値が第１判定レベルを超えると、現在実行中の第１補正処理を即時停止し、新たなモニタ値に基づいて新たな第１補正処理が実行されるようにするとよい。
【００４１】
上述したシステム・コントローラＩＣ６の第２制御動作例を実行することにより、図１に示す複合ＡＶ機器は、音声出力端子ＯＵＴ２からの音量出力レベルの変動を少なくすることできる。したがって、ソース切り替え時の音声出力レベル差を少なくすることができる。また、選択した１つのソースにおいてプログラム（例えばＴＶ受信におけるコマーシャルや映画放映、音楽番組等各種番組）やソース内容（例えば、外部音声入力端子ＩＮ１に接続される外部ソース機器の種類）が変更された場合でも、変更時の音声出力レベル差を少なくすることができる。
【図面の簡単な説明】
【００４２】
【図１】は、本発明に係る複合ＡＶ装置の音声系の概略構成例を示すブロック図である。
【図２】は、図１に示す複合ＡＶ装置が備えるシステム・コントローラＩＣの第１制御動作例を示すフローチャートである。
【図３】は、図１に示す複合ＡＶ装置が備えるシステム・コントローラＩＣの第２制御動作例を示すフローチャートである。
【図４】は、従来の複合ＡＶ装置の音声系の概略構成例を示すブロック図である。
【符号の説明】
【００４３】
１  ＴＶアンテナ
２  ＴＶチューナ
３  ＴＶ音声ＩＣ
４  ＤＶＤ音声ＩＣ
５  ＶＣＲ音声ＩＣ
６  システム・コントローラＩＣ
Ａ１、Ａ２  増幅器
ＳＷ１〜ＳＷ４  スイッチ
ＩＮ１  外部音声入力端子
ＯＵＴ１、ＯＵＴ２  音声出力端子
ＶＣＡ１、ＶＣＡ２  電圧制御増幅器
【図１】
2007208668.tif 000003
【図２】
2007208668.tif 000004
【図３】
2007208668.tif 000005
【図４】
2007208668.tif 000006